(57)【要約】【課題】  施設の外面や内面に配置させ、自然光線や人工光線を透光せしめて、多彩な光学意匠を創出現出する、多彩な光学意匠の創出方法及び創出基材の提供。【解決手段】  透光性に優れ且硬度の異なる合成樹脂素材を共押出し成形してなる一体的二層構造のシート基材の低硬度側面全体に、微細且均等なプリズム加工を施した構成からなる多彩な光学意匠創出基材、及び該多彩な光学意匠創出基材を施設の外面や内面に配置させ、自然光線や人工光線を入射透光させスペクトル分散と入射光線の屈折並びにレンズ作用により多彩な光学意匠模様を創出現出させる、多彩な光学意匠の創出方法。【選択図】図２
2009217228.tif 000002
【特許請求の範囲】
【請求項１】
透光性に優れ且硬度の異なる合成樹脂素材を共押出しして、所要の厚さで一体的二層構造に形成されたシート基材の低硬度の側面全体に、正三角錐若しくは二等辺三角錐形状で而もその底辺長並びに底辺から頂部までの辺長が、シート基材の厚さに対して４０％以下の微細で且膨大数のプリズムが均等均質に加圧成形されてなることを特徴とする、多彩な光学意匠の創出基材。
【請求項２】
シート基材が透光性に優れ且硬度の異なる合成樹脂フィルム材を、透光性バインダーで一体的に積層させてなる、請求項１記載の多彩な光学意匠の創出基材。
【請求項３】
シート基材の一側面に形成されるプリズム面の上面に、シート基材を形成する合成樹脂素材の薄肉フィルムからなる防護層が積層されてなる、請求項１若しくは請求項２記載の多彩な光学意匠の創出基材。
【請求項４】
自然光線若しくは人工光線からなる直接光線を、多彩な光学意匠の創出基材に略垂直に入射透光させて、プリズムによるスペクトル分散と屈折及びレンズ作用とにより、該多彩な光学意匠創出基材面に、六放射状スペクトル摸様を創出現出させることを特徴とする、多彩な光学意匠の創出方法。
【請求項５】
自然光線若しくは人工光線からの間接光線を、多彩な光学意匠創出基材に入射透光させ、プリズムによるスペクトル分散、屈折及びレンズ作用により、該多彩な光学意匠創出基材面に、スペクトルを含む不定形斑模様で、且視認距離及び視認角度で複雑に変化するよう創出現出させることを特徴とする、多彩な光学意匠の創出方法。
【発明の詳細な説明】
【技術分野】
【０００１】  本発明は自然光線や人工光線を透光させて、スペクトルの分散並びに屈折及びレンズ作用による多彩な光学意匠の創出と、且視認距離並びに視認角度により複雑に変化する、多彩な光学意匠の創出方法及び創出基材に関する。
【背景技術】
【０００２】  我が国では経済成長期を経て経済規模も一段と拡大化し、これとともに生活水準も著しく向上したこととも相俟って、消費行動も極めて多様化している。即ち食生活における中食化や外食化を初め、車利用によるアウトドアライフの増大、余暇の増加に伴う主婦の就労化や絵画、音楽、観劇或いはカルチャースクールでの習学、更には健康指向を背景として温泉や温浴施設若しくはリゾート施設利用の増大等多岐多様な消費行動がなされている。【０００３】  これがため都市部はもとより、郊外においても外食化に対処する膨大数の外食店舗や、健康指向に対処する温浴施設や健康ランド、或いはエステサロン施設等が、更にはレジャー施設やリゾート施設等までも林立するに至っている。
加えて近年に至っては、これらの消費行動の増大化を見据えて外国資本や外国企業が続々と参入していることから、これら企業間では熾烈な競争が展開されており、新規参入の反面において多くの敗退企業も発生している。【０００４】  そしてかかる敗退企業の多くは、ひたすら提供する財やサービスの低価格を以って集客を図った結果によるものとされているが、現状の消費者や利用者は十分な購買力を保有しており、且情報化を背景として多種の財やサービスの情報を知り得るものであるから、単に価格的安価さや品質よりも消費若しくは利用する環境や雰囲気、即ち消費や利用する楽しさ、面白さ、心地良さ、斬新さ、奇抜さと安全並びに安心さ等を求めて消費若しくは利用行動がなされており、これが集客性と且経営維持のための要点とされている。
そして施設環境の改善のために大胆な内外装の改修がなされるケースも散見されるが、莫大な改修費用に加えて長期の休業も余儀なくされ、而も仮令斬新的内外装がなされても施設の構造面での変更に過ぎず、反面消費若しくは利用者は老若男女に亘るものであるから、広範囲の消費若しくは利用者の満足する環境や雰囲気の創出が不可欠とされている。【０００５】  而して近年に至り施設内の照明を直接的並びに間接的に配し若しくは色光の使用により環境や雰囲気の改善を図ることも試みられているが、落ち着き感や柔かさ等が加重されるものの、結局は固定された環境や雰囲気等を改善するまでには至らず、且照明装置のための設備コストに加え大きな電力も必要とする。【０００６】  かかる実情に鑑み発明者等は鋭意研究を重ねた結果、発明者等が既に開発上市している合成樹脂フィルムの一側面に光再帰加工を施し、車輛ヘッドライトの光線を全反射再帰せしめて、遠距離での危険物の確実な視認をなさしめ、以って安全確保を図る光再帰性反射フィルムの光反射機能に加えて、光透過機能について更なる研究を重ねた結果、透光性シートの一側面全体に正三角錐若しくは二等辺三角錐形の微細且多数のプリズム加工を施してなる創出基材に光線透光をなすと、スペクトル分散作用や屈折作用並びにレンズ作用と且透光光線の入射角度及び視認角度により極めて多彩で多色に亘る光学意匠模様が創出されることを究明し本発明に至った。
【特許文献１】  特公平８−１１８７４号公報
【発明の開示】
【発明が解決しようとする課題】
【０００７】  本発明は消費や利用に供する施設の外面若しくは内面の適宜位置に配置させ、自然光線若しくは人工光線を直接或いは間接的に透光せしめて、多彩な光学意匠を創出且変化させて、施設内の環境や雰囲気を楽しさ、面白さ、奇抜さに溢れる新規の空間に改善することの可能な、多彩な光学意匠の創出方法、及び創出基材の提供にある。
【課題を解決するための手段】
【０００８】  上述の課題を解決するために本発明が採用した技術的手段は、自然光線や人工光線の透光性に優れ且光線による劣化、特には紫外線を多量に含む自然光線からの長期に亘る耐光性能を保持させること、及びその一側面全体に微細で且均等なプリズム加工を形成するうえで、該一側面が他側面より低硬度のものが好適であることから、透光性に優れ且硬度の異なるポリカーボネート樹脂及びメタクリル樹脂を共押出しにより、一体的二層構造で所要の厚さに成形させてシート基材となしたるうえ、該シート基材の低硬度な側面全体に亘って、正三角錐形状若しくは二等辺三角錐形状で微細且連接して多数のプリズムを加圧成形させて、多彩な光学意匠の創出基材となすものである。【０００９】  更に該多彩な光学意匠の創出基材は、透光性と耐光性に優れるとともに硬度の異なる二層で且その低硬度の側面にプリズムを加圧成形させたものでも多彩な光学意匠の創出がなしえるものであるから、前記共押出しによる一体的二層構造による以外、透光性に優れ且硬度の異なるニトロセルロース、セルローストリアセテート、セルローストリブチレートからなるフィルム材やポリエステル若しくはポリアミド或いはポリスチレンフィルム材を透光性バインダーにより二層に積層させたうえ、その低硬度の積層フィルム面にプリズムを加圧成形させたものも使用できる。【００１０】  更にかかる多彩な光学意匠の創出基材を実用使用に供する場合に、そのプリズム面には膨大数の微細凹凸が形成されてなり、長期使用に伴う塵埃の付着による光線透過の阻害を防止するうえから、該創出基材を形成する素材からなる極薄フィルムによる防護層をプリズム面に積層させた構成に存するものである。【００１１】  かかる如くして形成された多彩な光学意匠の創出基材を用いて多彩な光学意匠を創出させる方法は、消費者若しくは利用者が利用する施設等の自然光線が直接照射され若しくは間接的に照射され透光される場所に張設若しくは貼着させることにより、自然光線の直接入射透光によりスペクトル分散された六放射状のスペクトル模様が創出現出され、間接入射透光によってはその入射角に伴う屈折光により不定形のスペクトル斑模様が随所に創出現出される。
加えて多彩な光学意匠の創出基材を広面積で張設若しくは貼着させれば、前記六放射状のスペクトル模様等は全面に亘って創出現出され、且視認角度により該スペクトル模様は変形消失され、更に多彩な光学意匠の創出基材を分割して張設若しくは貼着させれば、それぞれに六放射状のスペクトル模様若しくは不定形スペクトル斑模様が創出現出される。【００１２】  更に人工光線においては、その光源即ち照明具からの発光光線を透光させるような笠やカバー若しくは覆いとして配置させることにより、発光光線が白色光に近似するものであればスペクトル分散された六放射状のスペクトル模様が創出現出され、且該白色光線を間接的に照射させることにより不定形スペクトル斑模様が随所に創出現出されるとともに、視認角度により該スペクトル斑模様は多様に変化して創出現出される。
【発明の効果】
【００１３】  本発明は上述の如く透光性に優れ且硬度の異なる合成樹脂素材を用いて共押出しによる一体的二層構造若しくはそれぞれの合成樹脂素材からなるシート材を積層構造となしたシート基材が用いられ、且その低硬度の側面全体に正三角錐形状若しくは二等辺三角錐形状の微細で多数のプリズムを均等に加圧成形させる場合に極めて精度の高い加圧成形が能率的になしえるとともに、均質且高精度のプリズムが形成された創出基材が形成されるため、入射透光される自然光線や人工光線が良好にスペクトル分散や屈折されて、鮮明で且多彩な光学意匠模様が創出現出されることとなる。【００１４】  加えて該創出基材は異なる合成樹脂素材が用いられるため、実用使用に際して要請される耐候性や耐光性、耐熱性或いは引張強力や曲げ強力等も選択する合成樹脂素材により相互補填がなしえる。
更に本発明の多彩な光学意匠の創出方法は、施設等の採光天井、外壁、窓若しくは扉等に広面積で若しくは小面積に分割のうえ張設若しくは貼着させて自然光線を直接若しくは間接的に入射透光させ、若しくは人工光線の白色光を直接若しくは間接的に入射透過させることで実施しえるため、設置コストの負担や新たな電源装置や光源の設置費用ばかりか、電力費用の負担も不用となる。
そして本発明創出基材のプリズム面に防護層が形成されたものでは、長期使用により塵埃等の付着がなされても、該防護層表面は平滑であるから、清掃除去も簡便になしえる。
【発明を実施するための最良の形態】
【００１５】  ポリカーボネート樹脂及びメタクリル樹脂を共押出しにより、厚さ０．５ｍｍの一体的二層構造押出し成形されたシート基材の低硬度の側面全体に、正三角錐形状若しくは二等辺三角錐形状で微細且膨大数のプリズムを加圧成形させて創出基材となすとともに、全天候のレジャー施設の採光天井に所要の面積を以って直接張設し若しくはガラス屋根の内面に貼着される。
【実施例１】
【００１６】  以下に本発明実施例を図とともに詳細に説明すれば、図１のＡには本発明多彩な光学意匠の創出基材１を形成するための、共押出し成形によるシート基材１Ａの説明図であって、該シート基材１Ａは優れた透光性はもとより、長期使用に際しても適応できる耐候性や耐光性、耐熱性或いは引張り強力並びに曲げ強力等の強靭性を保持することは無論、プリズム１Ｃの加圧成形に際してはその一側面が低硬度のものが望まれる。
ここで優れた透光性を保持する合成樹脂素材としては、ポリカーボネート樹脂やメタクリル樹脂に加えてポリエステル樹脂、ポリアミド樹脂、ポリスチレン樹脂、ポリ塩化ビニル樹脂の他、ニトロセルロース樹脂、セルローストリアセテート樹脂或いはセルローストリブチレート樹脂等が挙げられるが、実用使用に際しての性能にも対処するうえからは、それぞれの合成樹脂素材の持つ性能を有効に選択組合せて相互補完を図ることが好都合である。【００１７】  加えて肝要なことは、これらから選択された合成樹脂素材を共押出し成形により一体的二層構造に成形させることが、透光性を阻害させず且均質な物理的性能を発揮させるうえで望まれるが、かかる合成樹脂相互の共押出しに際しては相互の合成樹脂素材の相溶性が不可欠となる。これがため本発明においては、ポリカーボネート樹脂とメタクリル樹脂とにより共押出し成形させたシート基材１Ａが、その一つとして選択される。無論かかる合成樹脂素材以外にも、相互の相溶性や成形条件により共押出し成形が可能であれば採用できる。【００１８】  反面透光性に優れるニトロセルロール樹脂やセルローストリアセテート樹脂、或いはセルローストリブチレート樹脂等は、共押出し成形が至難であることから、一旦それぞれの合成樹脂素材で高硬度の透光性フィルム材１０Ｂを形成したうえ、使用性能を補完でき且低硬度の透光性フィルム材１１Ｂとを、透光性バインダー１１Ｃを用いて一体的二層構造に積層させたシート基材１Ｂも使用可能である。そしてかかるシート基材１Ａ若しくはシート基材１Ｂの厚さは、使用目的により異なるが略０．３乃至１．０ｍｍ程度に形成される。【００１９】  かくして一体的二層構造に形成されたシート基材１Ａは、図２に示すように、その硬度の低い側面１１Ａ全体に亘って正三角錐形状若しくは二等辺三角錐形状の微細且膨大数のプリズム１Ｃが均等且均質に加圧成形により形成される。
このプリズム１Ｃの大きさはシート基材１Ａ若しくはシート基材１Ｂの厚さにもよるが、本発明では略０．３乃至１．０ｍｍ程度のものが使用されるものであるから、正三角錐形状若しくは二等辺三角錐の場合では底三辺の長さは略１６０乃至４５０μｍ程度、底辺から頂部までの高さ三辺の長さとしては略１７０乃至４００μｍ程度の大きさで形成される。そして正三角錐形状では自然光線若しくは人工光線の入射透光に際しての光線のスペクトル分散や屈折に関与するプリズム１Ｃの頂部から底三辺に至る頂角は６０度で形成されるが、二等辺三角錐形状においても最大頂角として９０度程度以内に形成させることが望ましい。【００２０】  そしてかかるプリズム１Ｃは、所望の寸法形状で予め形成されたプリズム成形ロールで加圧成形されるものであり、且該プリズム成形ロールのプリズム形状や寸法を忠実に加圧成形させるうえから、シート基材１Ａの低硬度の側面が好都合となる。
即ち本発明における共押出し成形により形成されるシート基材１Ａはポリカーボネート樹脂と、メタクリル樹脂とにより形成されるもので、ポリカーボネート樹脂は標準グレードでの硬度（ロックウエルＭ）は７５である。他方メタクリル樹脂の標準グレードにおける硬度（ロックウエルＭ）は９０である。従って本発明におけるシート基材１Ａにおいては低硬度なポリカーボネート側面に形成がなされるもので、かかるプリズム１Ｃが加圧成形されることにより、本発明多彩な光学意匠創出基材１が形成される。【００２１】  次いでかかる本発明多彩な光学意匠創出基材１を用いて、多彩な光学意匠の創出方法をその創出原理とともに説明すれば、本発明多彩な光学意匠創出基材１を、消費若しくは利用される施設２において自然光線が直接的若しくは間接的に或いは人工光線を直接的若しくは間接的に入射透光させることにより、そのプリズム１Ｃによるスペクトル分散や屈折或いはレンズ作用により、該多彩な光学意匠創出基材１の上に多彩な光学意匠を創出現出させることにある。
而して該多彩な光学意匠創出基材１の一側面には微細且膨大数のプリズム１Ｃが形成されてなるため、実用使用に際して塵埃等が付着した場合に、洗浄を容易をするうえから同一素材の極薄フィルムからなる防護層１Ｄを積層させることが望ましい。【００２２】  これがためには自然光線を利用する場合には、本発明多彩な光学意匠創出基材１を、消費若しくは利用される施設において自然光線が直接的若しくは間接的に入射透光され、且これにより創出現出される多彩な光学意匠を視認できる場所、即ち採光天井２Ａ、外壁、窓２Ｂ若しくは扉等に張設し或いは透光ガラス板に貼着させること等が挙げられる。
他方人工光線を利用する場合には、施設内の照明具３の光源の周りに傘３Ａやカバー３Ｂ若しくは覆い等に加工したうえ包被させて人工光線を直接入射透光させ、或いは施設２内の適宜位置に適宜の形状及び大きさに配設させた多彩な光学意匠創出基材１に間接的に入射透光させて、多彩な光学意匠を創出現出させるものである。【００２３】  即ち図３には自然光線３０の入射透光による多彩な光学意匠の創出方法の具体例が示されてなり、図３のＡは施設２の採光天井部分２Ａに多彩な光学意匠創出基材１が使用された状況であり、図３のＢには施設２の窓２Ｂの内側面に多彩な光学意匠創出基材１が貼着された状態が示されている。
他方図４には人工光線による多彩な光学意匠の創出方法の具体例が示されてなるもので、図４のＡには照明具３からの人工光線３１を多彩な光学意匠創出基材１によるカバー３Ｂで包被させた場合が示されてなり、同図４のＢには人工光線３１を多彩な光学意匠創出基板１による傘３Ａとして使用する状態が示されている。【００２４】  而してかかる使用に際して自然光線が直接的若しくは間接的に、或いは人工光線が直接的若しくは間接的に入射透光される場合に創出現出される多彩な光学意匠の創出現出原理を述べれば、透光性に優れ且硬度の異なるシート基材１Ａの低硬度側面に、正三角錐形状若しくは二等辺三角形状で且それぞれの底三辺の長さが略１６０乃至４５０μｍ、及び底辺４から頂部４Ａまでの高さ三辺の長さも略１７０乃至４００μｍと極めて微細なプリズム１Ｃが全面に亘って膨大数で均等且均質に加圧成形されてなるものであるから、自然光線や人工光線の入射側面は図５に示す平面状態を示している。
そして本発明多彩な光学意匠の創出基材１は、入射透光される自然光線や人工光線を、そのプリズム１Ｃによりスペクトル分散や屈折及びレンズ作用により、該多彩な光学意匠の創出基材１の面に創出現出させるものであるから、その全体の厚さに対してプリズム１Ｃの底辺４の長さ及び頂部４Ａまでの高さ等が、厚さに対して最大４０％以内に形成させることにある。【００２５】  そしてかかる膨大数で形成されるプリズム１Ｃが形成されたシート基材１Ａの拡大断面説明図は図６に示す通りである。
即ち図６において自然光線や人工光線による垂直入射光線４０Ａはプリズム１Ｃの頂角αの角度に従いプリズム１Ｃ内に屈折しシート基材１Ａの適宜位置に光学意匠模様を結像４０することとなる。そして自然光線や人工光線が白色光線である場合にはプリズム１Ｃの作用によりスペクトル分散もなされるから、該結像４にはスペクトル分散された色光が包含された図７のＡに示す六放射状スペクトル模様５Ａが創出現出される。
更に４０Ｂや４０Ｃの如く自然光線が近傍の諸物体に一旦反射されて傾斜入射されると、その入射角も多様となり、結像４０が不定形状に分離変形されてスペクトル分散された色光を含む斑模様の光学意匠模様５Ｂとして創出現出される。【００２６】  この自然光線の垂直入射透光により六放射状のスペクトル模様５Ａの創出現出は、本発明の如く形成されるプリズム１Ｃが正三角錐形状若しくは二等辺三角錐で、且底三角長の長さがそれぞれ１６０乃至４５０μｍ、底辺４から頂部４Ａまでの長さが１７０乃至４００μｍの微細なプリズム１Ｃとして膨大数で均等且均質に形成された場合には、六方向への放射をなす特質を保持することによる。【００２７】  他方人工光線においては、その入射透光する光線が白色光で且垂直の入射の場合では自然光線の直接的入射透光と同様に六放射状スペクトル模様５Ａが創出現出される。
而しながら人工光線はその光源に光拡散させる拡散手段が講じられ、且光源も至近なため本発明多彩な光学意匠の創出基材１への入射光線は多角度で入射され、垂直入射に近い光線とプリズム１Ｃのレンズ作用とにより図７のＣに示すように六放射状方向に光源を六結像５Ｃに拡大して創出現出がなされる。【００２８】  更に自然光線や人工光線による間接光線は多角度で反射されて入射透光されるため、該反射物体の光がスペクトル分散された色光とともに創出現出されるものであるが、これら間接光線が入射透光されて創出現出される結像は、該多彩な光学意匠の創出基材１には、その表面に対して略４５乃至９０度近くの反射物体も反射光線が間接的に入射透光されるため、多彩な光学意匠の創出基材１には略４５乃至９０度の位置の反射物体の結像が創出現出される仮想結像でもある。
そしてかかる六放射状スペクトル模様５Ａも自然光線の光源即ち太陽の移動により大きく入射角が変化すると４放射状に変化し、とりわけ人工光線による場合には、消費若しくは利用者の視認距離や角度により色光を含む斑模様が複雑に変化し、楽しさや面白さ、斬新さや奇抜さも十分に発揮される。
【産業上の利用可能性】
【００２９】  施設の採光天井や外壁、窓、扉或いは照明具のカバーや覆いに適合する寸法形状に形成し、張設若しくは貼着或いは取付ることで即時利用ができる。
【図面の簡単な説明】
【００３０】
【図１】  シート基材の説明図である。
【図２】  多彩な光学意匠創出基材の説明図である。
【図３】  施設における使用態様図である。
【図４】  照明具における使用態様図である。
【図５】  プリズム面の平面図である。
【図６】  プリズムの入射光線屈折状態の拡大断面説明図である。
【図７】  多彩な光学意匠模様の例示図である。
【符号の説明】
【００３１】    １    多彩な光学意匠創出基材
１Ａ  共押出し成形によるシート基材
１Ｂ  積層させたシート基材
１Ｃ  プリズム
１Ｄ  防護層
１０Ａ  共押出しシート基材の高硬度側面
１１Ａ  共押出しシート基材の低硬度側面
１０Ｂ  高硬度透光性フィルム材
１１Ｂ  低硬度透光性フィルム材
１１Ｃ  透光性バインダー
２    施設
２Ａ  採光天井部分
２Ｂ  ガラス窓
３    照明具
３Ａ  傘
３Ｂ  カバー
３０    自然光線
３１    人工光線
４    プリズム底辺
４Ａ  プリズム頂部
４０    結像
４０Ａ  垂直入射光線
４０Ｂ  傾斜入射光線
４０Ｃ  傾斜入射光線
５Ａ  六放斜状スペクトル模様
５Ｂ  不定形スペクトル斑模様
５Ｃ  六放斜方向の拡大結像
【図１】
2009217228.tif 000003
【図２】
2009217228.tif 000004
【図３】
2009217228.tif 000005
【図４】
2009217228.tif 000006
【図５】
2009217228.tif 000007
【図６】
2009217228.tif 000008
【図７】
2009217228.tif 000009